【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
振動ふるい機において、
外側フレームと、
前記外側フレームに接続された内側フレームと、
前記内部フレームを振動させるように前記内部フレームに取り付けられた振動モータ組立体と、
前記内側フレームに取り付けられて積み重ね配置で構成された複数のふるいデッキ組立体であって、前記複数のふるいデッキ組立体の各々は、交換可能なふるい組立体を受けるように構成され、前記ふるい組立体は、前記ふるい組立体を選別される材料が前記ふるい組立体を横切って流れる方向に引っ張ることによって前記ふるいデッキ組立体に固定された、複数のふるいデッキ組立体と、
前記ふるい組立体を通過する材料を受け取るように構成された過小材料放出組立体と、
前記ふるい組立体の上面を越えて通過する材料を受け取るように構成された過大材料放出組立体とを備え、
前記過小材料放出組立体は、前記複数のふるいデッキ組立体の各々と連通する過小傾斜台を含み、前記過大材料放出組立体は、前記複数のふるいデッキ組立体の各々と連通する過大傾斜台組立体を含む、振動ふるい機。
【請求項２】
前記過大傾斜台組立体は、第１の過大傾斜台組立体と第２の過大傾斜台組立体とを含む、請求項１に記載の振動ふるい機。
【請求項３】
前記過小傾斜台、前記第１の過大傾斜台組立体、および前記第２の過大傾斜台組立体は、前記複数のふるいデッキ組立体の下に配置され、前記過小傾斜台は、前記第１の過大傾斜台組立体と前記第２の過大傾斜台組立体との間に配置された、請求項２に記載の振動ふるい機。
【請求項４】
前記複数のふるいデッキ組立体のうちの少なくとも１つは交換可能である、請求項１に記載の振動ふるい機。
【請求項５】
前記複数のふるいデッキ組立体の各々は、第１のふるい組立体と第２のふるい組立体とを含む、請求項１に記載の振動ふるい機。
【請求項６】
前記第１のふるい組立体と前記第２のふるい組立体との間に配置された洗浄トレイをさらに備えた、請求項５に記載の振動ふるい機。
【請求項７】
前記第１のふるい組立体と前記第２のふるい組立体との間に配置された溝をさらに備えた、請求項５に記載の振動ふるい機。
【請求項８】
前記溝は、反曲線堰構造を含む、請求項７に記載の振動ふるい機。
【請求項９】
選別される前記材料の流れの方向に対して実質的に直交して延びる張力ロッドを含むふるい張力システムをさらに備え、前記張力ロッドは、前記ふるい組立体の一部と嵌合し、回転したときに前記ふるい組立体を引っ張るように構成された、請求項１に記載の振動ふるい機。
【請求項１０】
前記ふるい張力システムは、開いてふるい組立体を受ける第１の位置と閉じて固定されたふるい組立体を引っ張る第２の位置との間を前記張力ロッドが移動するように前記張力ロッドを回転させるように構成されたラチェット組立体を含む、請求項９に記載の振動ふるい機。
【請求項１１】
振動モータをさらに備え、前記振動モータは、前記過大傾斜台組立体に取り付けられた、請求項１に記載の振動ふるい機。
【請求項１２】
多重供給組立体ユニットをさらに備え、前記多重供給組立体ユニットの各々は、分流器の個々の放出物の実質的に真下に配置された、請求項１に記載の振動ふるい機。
【請求項１３】
前記振動ふるい機は、少なくとも８つのふるいデッキ組立体を含む、請求項１に記載の振動ふるい機。
【請求項１４】
前記過大傾斜台組立体は、前記ふるい組立体を通過せずに前記複数のふるいデッキ組立体の放出端を越えて搬送された材料を受け取るように構成された分岐溝を含み、前記分岐溝の第１の部分は前記第１の過大傾斜台組立体に供給し、前記分岐溝の第２の部分は前記第２の過大傾斜台組立体に供給する、請求項２に記載の振動ふるい機。
【請求項１５】
ふるいデッキ組立体において、
第１のふるい組立体を受けるように構成された第１のふるいデッキと、
第２のふるい組立体を受けるように構成され、前記第１のふるいデッキ組立体の下流に配置された、第２のふるいデッキと、
前記第１のふるいデッキ組立体と前記第２のふるいデッキ組立体との間に配置された溝とを備え、
前記第１のふるいデッキは、選別される材料を受けるように構成され、前記溝は、前記材料が前記第２のふるいデッキに到達する前に選別される材料を溜めるように構成された、ふるいデッキ組立体。
【請求項１６】
前記溝は、反曲線堰および洗浄トレイのうちの少なくとも１つを含む、請求項１５に記載のふるいデッキ組立体。
【請求項１７】
第１のふるい張力システムおよび第２のふるい張力システムをさらに備え、それぞれが選別される前記材料の流れの方向に対して実質的に直交して延在する張力ロッドを含み、前記第１の張力ロッドは、回転時に前記第１のふるい組立体の第１の部分と嵌合するように構成され、第２の張力ロッドは、回転時に前記第２のふるい組立体の第２の部分と嵌合するように構成された、請求項１５に記載のふるいデッキ組立体。
【請求項１８】
前記第１のふるい張力システムは、開いてふるい組立体を受ける第１の位置と閉じて固定されたふるい組立体を引っ張る第２の位置との間を前記第１の張力ロッドが移動するように、前記第１の張力ロッドを回転させるように構成された第１のラチェット組立体を含み、開いてふるい組立体を受ける第１の位置と閉じて固定されたふるい組立体を引っ張る第２の位置との間を前記第２の張力ロッドが移動するように、前記第２の張力ロッドを回転させるように構成された第２のラチェット組立体をさらに含む、請求項１７に記載のふるいデッキ組立体。
【請求項１９】
材料を選別する方法において、
積み重ね配置で構成された複数のふるいデッキ組立体を有する振動ふるい機に前記材料を供給することを含み、前記複数のふるいデッキ組立体の各々が交換可能ふるい組立体を受けるように構成され、前記交換可能ふるい組立体は、前記材料が前記交換可能ふるい組立体を横切って流れる方向に前記交換可能ふるい組立体を引っ張ることにより前記複数のふるいデッキ組立体に固定されており、
前記交換可能ふるい組立体を通過する過小材料が過小材料放出組立体に流れ込み、過大材料が前記複数のふるいデッキ組立体の端部を越えて過大材料放出組立体に流れ込むように前記材料を選別し、前記過小材料放出組立体は、前記複数のふるいデッキ組立体の各々と連通する過小傾斜台を含み、前記過大材料放出組立体は、前記複数のふるいデッキ組立体の各々と連通する過大傾斜台組立体を含む、材料を選別する方法。
【請求項２０】
前記過大傾斜台組立体は、第１の過大傾斜台組立体と第２の過大傾斜台組立体とを含む、請求項１９に記載の材料を選別する方法。
【請求項２１】
前記過小傾斜台、前記第１の過大傾斜台組立体、および前記第２の過大傾斜台組立体は、前記複数のふるいデッキ組立体の下に配置され、前記過小傾斜台組立体は、前記第１の過大傾斜台組立体と前記第２の過大傾斜台組立体との間に配置された、請求項２０に記載の材料を選別する方法。
【請求項２２】
前記複数のふるいデッキ組立体のうちの少なくとも１つが交換可能である、請求項１９に記載の材料を選別する方法。
【請求項２３】
前記複数のふるいデッキ組立体の各々は、第１のふるい組立体と第２のふるい組立体とを含む、請求項１９に記載の材料を選別する方法。
【請求項２４】
前記第１のふるい組立体と前記第２のふるい組立体との間に配置された溝をさらに備えた、請求項２３に記載の材料を選別する方法。
【請求項２５】
前記溝は、反曲線堰構造を含む、請求項２４に記載の材料を選別する方法。
【請求項２６】
選別される前記材料の流れの方向に対して実質的に直交して延在する張力ロッドを含むふるい張力システムをさらに備え、前記張力ロッドは前記ふるい組立体は一部と嵌合して、回転したときに前記ふるい組立体を組み立てて引っ張るように構成された、請求項１９に記載の材料を選別する方法。
【請求項２７】
選別される材料の粒子を選別するための振動ふるい機において、
外側フレームと、
前記外側フレームに接続された内側フレームと、
振動モータ組立体であって、前記振動モータ組立体が前記内側フレームを振動させるように、前記内側フレームに固定された、振動モータ組立体と、
前記内側フレームに取り付けられて概ね積み重ねられた配置で構成された複数のふるいデッキ組立体であって、前記複数のふるいデッキ組立体の各々は、材料入力端から材料出力端まで延びる前後寸法を有する、複数のふるいデッキ組立体と、
前記複数のふるいデッキ組立体の各々に取り外し可能に固定された複数の交換可能ふるいであって、前記複数の交換可能ふるいの第１の交換可能ふるいは、前記第１の交換可能ふるいを実質的に前記前後寸法に沿って引っ張ることにより、前記複数のふるいデッキ組立体の第１のふるいデッキ組立体に固定された、複数の交換可能ふるいと、
前記第１の交換可能ふるいを通過する前記材料の粒子を受け取るように構成された過小材料放出組立体と、
前記第１の交換可能ふるいの上面を越えて通過する前記材料の粒子を受け取るように構成された過大材料放出組立体とを備え、
前記過小材料放出組立体は、前記ふるいデッキ組立体の各々と連通する過小傾斜台を含み、前記過大材料放出組立体は、前記ふるいデッキ組立体の各々と連通する過大傾斜台組立体を含む、振動ふるい機。
【請求項２８】
前記複数のふるいデッキ組立体の各々は、第１のふるいデッキと第２のふるいデッキとを含み、前記第１のふるいデッキは、そこに固定された第１の交換可能なふるいを有し、前記第２のふるいデッキは、そこに固定された交換可能な第２の交換可能なふるいを有する、請求項２７に記載の振動ふるい機。
【請求項２９】
前記第１のふるいデッキと前記第２のふるいデッキとの間に配置された洗浄トレイをさらに備えた、請求項２８に記載の振動ふるい機。
【請求項３０】
前記第１のふるいデッキと前記第２のふるいデッキとの間に配置された溝をさらに備えた、請求項２８に記載の振動ふるい機。
【請求項３１】
前記溝は、反曲線堰構造を含む、請求項３０に記載の振動ふるい機。
【請求項３２】
前記前後寸法に対して実質的に直交して延在する張力ロッドを含むふるい張力システムをさらに備え、前記張力ロッドは、前記ふるいの一部と嵌合し、回転したときに前記ふるいを引っ張るように構成された、請求項２７に記載の振動ふるい機。
【請求項３３】
前記ふるい張力システムは、開いてふるい組立体を受ける第１の位置と閉じて固定されたふるい組立体を引っ張る第２の位置との間を前記第１の張力ロッドが移動するように、前記張力ロッドの第１の張力ロッドを回転させるように構成されたラチェット組立体を含む、請求項３２に記載の振動ふるい機。
【手続補正２】
【補正対象書類名】明細書
【補正対象項目名】０００１
【補正方法】変更
【補正の内容】
【０００１】
関連アプリケーションとの相互参照
［０００１］  本出願は、２０１６年１０月１４日に出願された米国仮特許出願第６２／４０８，５１４号、および２０１７年４月２１日に出願された米国特許仮出願第６２／４８８，２９３号に関連してその利益を主張する。
【手続補正３】
【補正対象書類名】明細書
【補正対象項目名】０００３
【補正方法】変更
【補正の内容】
【０００３】
［００２４］  振動ふるいシステムは、米国特許第６，４３１，３６６Ｂ２および６，８２０，７４８Ｂ２に開示されている。従来のシステムに対する本発明の利点には、関連する機械サイズの増大なしに材料を分離するためのより大きな選別能力が含まれる。本発明の実施形態は、第１および第２のふるいを有するふるいデッキ、各ふるいを前後方向（すなわち、選別されている材料の流れの方向）に引っ張る張力装置、第１および第２のふるいの間に配置された洗浄トレイ、オーバーマウントされた供給システムに直接的に接続されるように構成された供給傾斜台、例えば米国特許出願公開第２０１４／０２６３１０３Ａ１号明細書に記載された供給システム、過小および過大の材料を集める集中型放出組立体、ふるい組立体上への材料の流れのための前から後ろへの張力および衝突領域用に構成された交換可能なふるい組立体のような改良された特徴を含んでいる。本明細書に記載されているものの中でもとりわけ、これらの特徴は、直接的なオーバーヘッド供給システム、選別能力の増加、および設置面積の減少を可能にするコンパクトな設計を提供する。また、間に洗浄トレイを挟んで前から後ろに張力がかけられ、ふるい組立体自体の上の領域に衝撃を与える複数のふるい組立体は、改善された流れ特性および効率を提供する。改良された張力構造はふるい組立体の迅速で容易な交換を提供する。改良された放出組立体は、最適なまたはほぼ最適な流れ特性、ならびに大幅に減少した設置面積を提供するように構成されている。これらの改良および利点、およびその他は、本開示の態様による少なくともいくつかの実施形態によって提供されている。
【手続補正４】
【補正対象書類名】明細書
【補正対象項目名】００２２
【補正方法】変更
【補正の内容】
【００２２】
［００４２］  図２に示すように、外側フレーム１１０はさらに、直立溝１１３および１１３’の中央部分１１３Ｂおよび１１３Ｂ’のそれぞれに取り付けられた両端部を有する後部溝１０９を含んでいる。追加の後部チャネル１０８が後部チャネル１０９と平行に延び、それぞれ反対側の端部が中央部１１６Ｂから第２の端部１１６Ｃに向かって下側傾斜チャネル１１６およびその対応する下側傾斜チャネル１１６’に取り付けられて外側フレーム１１０を構造的に支持する。
【手続補正５】
【補正対象書類名】明細書
【補正対象項目名】００２５
【補正方法】変更
【補正の内容】
【００２５】
［００４５］  図２に示すように、振動ふるい機１００は、供給組立体１３０を含んでいる。供給組立体１３０は、支持フレーム１３４、複数の垂直支持体１３６、供給入口ダクト１３１、取り付けアーム１３２、および供給出口ダクト１３３を含んでいる。取り付けアーム１３２は、ボルトなどの固定機構によって支持フレーム１３４および１３４’に固定されている。支持フレーム１３４および１３４’は、外側フレーム１１０の下降チャネル１１７および１１７’の上にそれと平行に配置されている。垂直支持部１３６は、供給組立体１３０が振動する内側フレーム１２０に対して固定されるように、支持フレーム１３４および１３４’を外側フレーム１１０の下降チャネル１１７および１１７’に固定している。入口ダクト１３１は、米国特許出願第２０１４／０２６３１０３Ａ１号明細書に示されるような分配器、または他の材料流れ組立体からスラリーの流れを受け、それを出口ダクト１３３へ供給するように構成されている。出口ダクト１３３は、各出口ダクト１３３が材料５００の流れを各ふるいデッキ組立体４００に放出するように構成されるように、ふるいデッキ組立体４００の高い側の上方に配置されている。初期のシステムは、振動機械の一段上に配置されたホースを有するが、本開示の組立体では、振動機械上の入口の構成は、実質的に分散した液滴を流れで提供し、機械の高さを大幅に減少させる。これは本開示の少なくともいくつかの実施形態の重要な空間節約機能である。
【手続補正６】
【補正対象書類名】明細書
【補正対象項目名】００４５
【補正方法】変更
【補正の内容】
【００４５】
［００６４］  図１４は、第２のふるいデッキ４２０に沿って第２のふるい４１９に張力をかける張力組立体４５０の詳細を示すふるいデッキ組立体４００の図７と同様の側面図である。図１４に示すように、選別される材料５００は、振動を介して第１のふるい組立体４０９を横切って第１のふるい組立体４０９の放出端４０９Ｂに向かって流れる。通過しているときに、適切な大きさの材料粒子５００は、第１のふるい組立体４０９の開口部または孔４８８Ａを通過する。第１のふるい組立体４０９の放出端部４０９Ｂを通過した後、材料５００は洗浄トレイ４４０内を通過し、湾曲した側面部材４４６および最大上昇部４４９を越えて通過する。最大上昇部４４９を越えて通過した後、材料５００は第２のふるい４１９の衝突領域４４８に着地し、次に第２のふるい４１９を横切って振動し、適切な大きさの材料５００が第２のふるい４１９を経路に沿って通過するように、入力端部４１９Ａから放出端部４１９Ｂまで通過する。ふるい４０９、４１９は、以下でさらに詳細に説明するように、デッキ４１０、４２０のデッキクリップ４５５Ｂおよび張力装置４５０の張力ストリップ４５５を介してデッキ４１０、４２０に選択的に取り付けられている。
【手続補正７】
【補正対象書類名】明細書
【補正対象項目名】００５７
【補正方法】変更
【補正の内容】
【００５７】
［００７６］  本明細書および添付の図面は、積み重ねられたふるいデッキ組立体を含む振動ふるい機を開示している。もちろん、本開示の様々な態様を説明する目的で、考えられるあらゆる要素の組み合わせを記載することは不可能である。したがって、本開示の実施形態は様々な実装および活用を参照して説明されているが、そのような実施形態は例示的なものであり、本開示の範囲はそれらに限定されないことに留意されたい。当業者は、開示された特徴の多くのさらなる組み合わせおよび置換が可能であることを認識することができる。このように、本開示の範囲または精神から逸脱することなく、本開示に対して様々な改良が加えられてもよい。追加的にまたは代替的に、本開示の他の実施形態は、本明細書および添付の図面の考察、ならびに本明細書に提示されているような本開示の実施から明らかとなってもよい。本明細書および添付の図面に提示された例は、あらゆる点で例示的であり限定的ではないと見なされることが意図されている。ここでは特定の用語が使用されているが、それらは一般的かつ説明的な意味でのみ使用されており、限定の目的では使用されていない。
（項目１）
振動ふるい機において、
外側フレームと、
前記外側フレームに接続された内側フレームと、
前記内部フレームを振動させるように前記内部フレームに取り付けられた振動モータ組立体と、
前記内側フレームに取り付けられて積み重ね配置で構成された複数のふるいデッキ組立体であって、前記複数のふるいデッキ組立体の各々は、交換可能なふるい組立体を受けるように構成され、前記ふるい組立体は、前記ふるい組立体を選別される材料が前記ふるい組立体を横切って流れる方向に引っ張ることによって前記ふるいデッキ組立体に固定された、複数のふるいデッキ組立体と、
前記ふるい組立体を通過する材料を受け取るように構成された過小材料放出組立体と、
前記ふるい組立体の上面を越えて通過する材料を受け取るように構成された過大材料放出組立体とを備え、
前記過小材料放出組立体は、前記複数のふるいデッキ組立体の各々と連通する過小傾斜台を含み、前記過大材料放出組立体は、前記複数のふるいデッキ組立体の各々と連通する過大傾斜台組立体を含む、振動ふるい機。
（項目２）
前記過大傾斜台組立体は、第１の過大傾斜台組立体と第２の過大傾斜台組立体とを含む、項目１に記載の振動ふるい機。
（項目３）
前記過小傾斜台、前記第１の過大傾斜台組立体、および前記第２の過大傾斜台組立体は、前記複数のふるいデッキ組立体の下に配置され、前記過小傾斜台は、前記第１の過大傾斜台組立体と前記第２の過大傾斜台組立体との間に配置された、項目２に記載の振動ふるい機。
（項目４）
前記複数のふるいデッキ組立体のうちの少なくとも１つは交換可能である、項目１に記載の振動ふるい機。
（項目５）
前記複数のふるいデッキ組立体の各々は、第１のふるい組立体と第２のふるい組立体とを含む、項目１に記載の振動ふるい機。
（項目６）
前記第１のふるい組立体と前記第２のふるい組立体との間に配置された洗浄トレイをさらに備えた、項目５に記載の振動ふるい機。
（項目７）
前記第１のふるい組立体と前記第２のふるい組立体との間に配置された溝をさらに備えた、項目５に記載の振動ふるい機。
（項目８）
前記溝は、反曲線堰構造を含む、項目７に記載の振動ふるい機。
（項目９）
選別される前記材料の流れの方向に対して実質的に直交して延びる張力ロッドを含むふるい張力システムをさらに備え、前記張力ロッドは、前記ふるい組立体の一部と嵌合し、回転したときに前記ふるい組立体を引っ張るように構成された、項目１に記載の振動ふるい機。
（項目１０）
前記ふるい張力システムは、開いてふるい組立体を受ける第１の位置と閉じて固定されたふるい組立体を引っ張る第２の位置との間を前記張力ロッドが移動するように前記張力ロッドを回転させるように構成されたラチェット組立体を含む、項目９に記載の振動ふるい機。
（項目１１）
振動モータをさらに備え、前記振動モータは、前記過大傾斜台組立体に取り付けられた、項目１に記載の振動ふるい機。
（項目１２）
多重供給組立体ユニットをさらに備え、前記多重供給組立体ユニットの各々は、分流器の個々の放出物の実質的に真下に配置された、項目１に記載の振動ふるい機。
（項目１３）
前記振動ふるい機は、少なくとも８つのふるいデッキ組立体を含む、項目１に記載の振動ふるい機。
（項目１４）
前記過大傾斜台組立体は、前記ふるい組立体を通過せずに前記複数のふるいデッキ組立体の放出端を越えて搬送された材料を受け取るように構成された分岐溝を含み、前記分岐溝の第１の部分は前記第１の過大傾斜台組立体に供給し、前記分岐溝の第２の部分は前記第２の過大傾斜台組立体に供給する、項目２に記載の振動ふるい機。
（項目１５）
ふるいデッキ組立体において、
第１のふるい組立体を受けるように構成された第１のふるいデッキと、
第２のふるい組立体を受けるように構成され、前記第１のふるいデッキ組立体の下流に配置された、第２のふるいデッキと、
前記第１のふるいデッキ組立体と前記第２のふるいデッキ組立体との間に配置された溝とを備え、
前記第１のふるいデッキは、選別される材料を受けるように構成され、前記溝は、前記材料が前記第２のふるいデッキに到達する前に選別される材料を溜めるように構成された、ふるいデッキ組立体。
（項目１６）
前記溝は、反曲線堰および洗浄トレイのうちの少なくとも１つを含む、項目１５に記載のふるいデッキ組立体。
（項目１７）
第１のふるい張力システムおよび第２のふるい張力システムをさらに備え、それぞれが選別される前記材料の流れの方向に対して実質的に直交して延在する張力ロッドを含み、前記第１の張力ロッドは、回転時に前記第１のふるい組立体の第１の部分と嵌合するように構成され、第２の張力ロッドは、回転時に前記第２のふるい組立体の第２の部分と嵌合するように構成された、項目１５に記載のふるいデッキ組立体。
（項目１８）
前記第１のふるい張力システムは、開いてふるい組立体を受ける第１の位置と閉じて固定されたふるい組立体を引っ張る第２の位置との間を前記第１の張力ロッドが移動するように、前記第１の張力ロッドを回転させるように構成された第１のラチェット組立体を含み、開いてふるい組立体を受ける第１の位置と閉じて固定されたふるい組立体を引っ張る第２の位置との間を前記第２の張力ロッドが移動するように、前記第２の張力ロッドを回転させるように構成された第２のラチェット組立体をさらに含む、項目１７に記載のふるいデッキ組立体。
（項目１９）
材料を選別する方法において、
積み重ね配置で構成された複数のふるいデッキ組立体を有する振動ふるい機に前記材料を供給することを含み、前記複数のふるいデッキ組立体の各々が交換可能ふるい組立体を受けるように構成され、前記交換可能ふるい組立体は、前記材料が前記交換可能ふるい組立体を横切って流れる方向に前記交換可能ふるい組立体を引っ張ることにより前記複数のふるいデッキ組立体に固定されており、
前記交換可能ふるい組立体を通過する過小材料が過小材料放出組立体に流れ込み、過大材料が前記複数のふるいデッキ組立体の端部を越えて過大材料放出組立体に流れ込むように前記材料を選別し、前記過小材料放出組立体は、前記複数のふるいデッキ組立体の各々と連通する過小傾斜台を含み、前記過大材料放出組立体は、前記複数のふるいデッキ組立体の各々と連通する過大傾斜台組立体を含む、材料を選別する方法。
（項目２０）
前記過大傾斜台組立体は、第１の過大傾斜台組立体と第２の過大傾斜台組立体とを含む、項目１９に記載の材料を選別する方法。
（項目２１）
前記過小傾斜台、前記第１の過大傾斜台組立体、および前記第２の過大傾斜台組立体は、前記複数のふるいデッキ組立体の下に配置され、前記過小傾斜台組立体は、前記第１の過大傾斜台組立体と前記第２の過大傾斜台組立体との間に配置された、項目２０に記載の材料を選別する方法。
（項目２２）
前記複数のふるいデッキ組立体のうちの少なくとも１つが交換可能である、項目１９に記載の材料を選別する方法。
（項目２３）
前記複数のふるいデッキ組立体の各々は、第１のふるい組立体と第２のふるい組立体とを含む、項目１９に記載の材料を選別する方法。
（項目２４）
前記第１のふるい組立体と前記第２のふるい組立体との間に配置された溝をさらに備えた、項目２３に記載の材料を選別する方法。
（項目２５）
前記溝は、反曲線堰構造を含む、項目２４に記載の材料を選別する方法。
（項目２６）
選別される前記材料の流れの方向に対して実質的に直交して延在する張力ロッドを含むふるい張力システムをさらに備え、前記張力ロッドは前記ふるい組立体は一部と嵌合して、回転したときに前記ふるい組立体を組み立てて引っ張るように構成された、項目１９に記載の材料を選別する方法。
（項目２７）
選別される材料の粒子を選別するための振動ふるい機において、
外側フレームと、
前記外側フレームに接続された内側フレームと、
振動モータ組立体であって、前記振動モータ組立体が前記内側フレームを振動させるように、前記内側フレームに固定された、振動モータ組立体と、
前記内側フレームに取り付けられて概ね積み重ねられた配置で構成された複数のふるいデッキ組立体であって、前記複数のふるいデッキ組立体の各々は、材料入力端から材料出力端まで延びる前後寸法を有する、複数のふるいデッキ組立体と、
前記複数のふるいデッキ組立体の各々に取り外し可能に固定された複数の交換可能ふるいであって、前記複数の交換可能ふるいの第１の交換可能ふるいは、前記第１の交換可能ふるいを実質的に前記前後寸法に沿って引っ張ることにより、前記複数のふるいデッキ組立体の第１のふるいデッキ組立体に固定された、複数の交換可能ふるいと、
前記第１の交換可能ふるいを通過する前記材料の粒子を受け取るように構成された過小材料放出組立体と、
前記第１の交換可能ふるいの上面を越えて通過する前記材料の粒子を受け取るように構成された過大材料放出組立体とを備え、
前記過小材料放出組立体は、前記ふるいデッキ組立体の各々と連通する過小傾斜台を含み、前記過大材料放出組立体は、前記ふるいデッキ組立体の各々と連通する過大傾斜台組立体を含む、振動ふるい機。
（項目２８）
前記複数のふるいデッキ組立体の各々は、第１のふるいデッキと第２のふるいデッキとを含み、前記第１のふるいデッキは、そこに固定された第１の交換可能なふるいを有し、前記第２のふるいデッキは、そこに固定された交換可能な第２の交換可能なふるいを有する、項目２７に記載の振動ふるい機。
（項目２９）
前記第１のふるいデッキと前記第２のふるいデッキとの間に配置された洗浄トレイをさらに備えた、項目２８に記載の振動ふるい機。
（項目３０）
前記第１のふるいデッキと前記第２のふるいデッキとの間に配置された溝をさらに備えた、項目２８に記載の振動ふるい機。
（項目３１）
前記溝は、反曲線堰構造を含む、項目３０に記載の振動ふるい機。
（項目３２）
前記前後寸法に対して実質的に直交して延在する張力ロッドを含むふるい張力システムをさらに備え、前記張力ロッドは、前記ふるいの一部と嵌合し、回転したときに前記ふるいを引っ張るように構成された、項目２７に記載の振動ふるい機。
（項目３３）
前記ふるい張力システムは、開いてふるい組立体を受ける第１の位置と閉じて固定されたふるい組立体を引っ張る第２の位置との間を前記第１の張力ロッドが移動するように、前記張力ロッドの第１の張力ロッドを回転させるように構成されたラチェット組立体を含む、項目３２に記載の振動ふるい機。
【手続補正８】
【補正対象書類名】図面
【補正対象項目名】全図
【補正方法】変更
【補正の内容】
【図１】
2019533573.tif 000001
【図２】
2019533573.tif 000002
【図３】
2019533573.tif 000003
【図４】
2019533573.tif 000004
【図５】
2019533573.tif 000005
【図６】
2019533573.tif 000006
【図７】
2019533573.tif 000007
【図８】
2019533573.tif 000008
【図９Ａ】
2019533573.tif 000009
【図９Ｂ】
2019533573.tif 000010
【図１０】
2019533573.tif 000011
【図１１Ａ】
2019533573.tif 000012
【図１１Ｂ】
2019533573.tif 000013
【図１２Ａ】
2019533573.tif 000014
【図１２Ｂ】
2019533573.tif 000015
【図１３Ａ】
2019533573.tif 000016
【図１３Ｂ】
2019533573.tif 000017
【図１４】
2019533573.tif 000018
【図１５】
2019533573.tif 000019
【図１６Ａ】
2019533573.tif 000020
【図１６Ｂ】
2019533573.tif 000021